(57)【要約】      （修正有）【課題】コンプレッサー等の高価な付帯設備や潤滑剤を不要にすることで、コストや手間を低減させたホッケーゲーム機を提供する。【解決手段】滑動盤面１２ａを有する遊技台１と、滑動盤面上を滑走する遊技媒体２と、遊技媒体を打撃する打撃手段３と、を備え、滑動盤面の周囲には、フレーム部１１ａと少なくとも２つのゴール部１１ｂとが設けられ、滑動盤面の表面には、摩擦抵抗が小さいメラミン樹脂によるコーティングが施されている。【選択図】図１
0003199262.tif 000002
【実用新案登録請求の範囲】
【請求項１】
滑動盤面を有する遊技台と、
前記滑動盤面上を滑走する遊技媒体と、
前記遊技媒体を打撃する打撃手段と、を備え、
前記滑動盤面の周囲には、フレーム部と少なくとも２つのゴール部とが設けられ、
前記滑動盤面の表面には、メラミン樹脂によるコーティングが施されていることを特徴とする、遊技機。
【請求項２】
前記遊技台の表面には、メラミン化粧板が設けられていることを特徴とする、請求項１に記載の遊技機。
【請求項３】
前記遊技台は、机の上に配置させられていることを特徴とする、請求項１又は請求項２に記載の遊技機。
【請求項４】
前記遊技媒体と前記打撃手段と前記フレーム部とは、堅木で形成されていることを特徴とする請求項１〜３の何れかに記載の遊技機。
【請求項５】
前記遊技台は、前記ゴール部に至った前記遊技媒体を収容する収容部をさらに有し、
前記遊技台と前記収容部との間には、前記収容部を着脱可能な取付機構が設けられていることを特徴とする、請求項１〜４に記載の遊技機。
【請求項６】
前記遊技媒体には、クリア塗装が施されていることを特徴とする、請求項１〜５の何れかに記載の遊技機。
【請求項７】
前記打撃手段の下面には、フェルト素材が張り付けられていることを特徴とする請求項１〜６に記載の遊技機。
【考案の詳細な説明】
【技術分野】
【０００１】
本考案は、圧縮空気を使用しないホッケーゲーム機に関するものである。
【背景技術】
【０００２】
従来から、圧縮空気を利用したホッケーゲーム機（通称エアホッケー）が知られている。このホッケーゲーム機では、遊技台（以下、ホッケー台ともいう）の滑動盤面に設けられた複数の小孔から、コンプレッサー等を用いて圧縮した空気を吹き出し、その空気により遊技媒体（以下、パックともいう）を浮かせることで、パックと滑動盤面との摩擦抵抗を軽減させていた。
【０００３】
しかしながら、このホッケーゲーム機においては、空気を圧縮させるコンプレッサー等の大掛かりな装置が必要となってしまう。そのため、価格的にも高価なものとなってしまい、家庭に設置することが難しく、ゲームセンター等の大規模な遊戯場でしか楽しむことができないという問題があった。
【０００４】
上記問題を解決するために、コンプレッサー等を用いず簡単な機構で安価に製作することができるホッケーゲーム機が提案されている。特許文献１には、パックと滑動盤面との摩擦抵抗を小さくするため、滑動盤面上に平均粒子径５０ミクロン以下の真球状の粉末を潤滑材として塗布したことを特徴とするホッケーゲーム機が記載されている。
【先行技術文献】
【特許文献】
【０００５】
【特許文献１】実開昭６２−４３８８号公報
【考案の概要】
【考案が解決しようとする課題】
【０００６】
しかしながら、このようなホッケーゲーム機を用いた場合、確かに、高価な装置を用いることなく、パックと滑動盤面との摩擦抵抗を小さくできるものの、次のような課題もある。
【０００７】
第１に、ゲームを繰り返し遊ぶうちに、潤滑剤が滑動盤面上から消失してしまうという問題がある。一般に、ホッケーゲームにおいては、打撃手段（以下、マレットともいう）を用いてパックを打撃することでパックを滑走させる。この時、パックやマレットが滑動盤面上を滑動するに伴い、滑動盤面上に存在する潤滑剤は頻繁に移動して滑動盤面上から消失してしまう。例えば、パックがゴールに至った際には、パックと共に移動した潤滑剤は滑動盤面上から消失してしまうし、使用者の手やマレットに付着して消失する場合もある。その結果、滑動盤面上に存在する潤滑剤の量が十分でなくなったり、潤滑剤の分布が斑になってしまい、パックの滑りが悪くなってしまう。
【０００８】
第２に、潤滑剤が十分に滑動盤面上に存在しているかどうかを見極めることが容易でないという問題がある。上述したように、潤滑剤は次第に消失してしまうため、潤滑剤の存在量や分布が変化してしまう。しかしながら、ホッケーゲーム機の外見上に変化はないため、使用者は容易に把握することができない。そのため、潤滑剤の量や分布が毎回同じ条件でホッケーゲームを楽しむことが難しい。
【０００９】
第３に、定期的に潤滑剤を塗布する必要があり、使用者の手間となってしまうという問題がある。上述したように、パックの滑りが悪くなっている場合には、潤滑剤を再度塗布する必要があり、使用者の手間となっていた。また、塗布作業が必要となるだけでなく、潤滑剤という消耗品を購入しておく必要があり、別途費用が必要となってしまう。
【００１０】
本考案は、かかる実情に鑑み、コンプレッサー等の高価な付帯設備や潤滑剤を不要にすることで、コストや手間を低減させたホッケーゲーム機を提供することを課題とする。
【課題を解決するための手段】
【００１１】
上記課題を解決するため、本考案に係るホッケーゲーム機は、滑動盤面を有する遊技台と、前記滑動盤面上を滑走する遊技媒体と、前記遊技媒体を打撃する打撃手段と、を備え、前記滑動盤面の周囲には、フレーム部と少なくとも２つのゴール部とが設けられ、前記滑動盤面の表面には、メラミン樹脂によるコーティングが施されていることを特徴とする。
【００１２】
このように、滑動盤面がメラミン樹脂によりコーティングされていることにより、コンプレッサー等を設けていなくても、滑動盤面とパックとの摩擦抵抗を低減させることができる。
さらに、潤滑剤等の消耗品を塗布する必要が無いため、使用者の手間を無くすことができ、常に同じ滑動条件でホッケーゲームを遊ぶことができる。
【００１３】
本考案の好ましい形態では、前記遊技台の表面には、メラミン化粧板が設けられていることを特徴とする。
このように、予め表面にメラミン樹脂によるコーティングが施されたメラミン化粧板を用いることで、本考案に係るホッケーゲーム機を容易に作製することができる。
【００１４】
本考案の好ましい形態では、前記遊技台は、机の上に配置させられていることを特徴とする。
このように、遊技台は机の上に配置されており、着脱可能に構成されている。そのため、ホッケーゲームを行わない時は、遊技台を取り外して机として利用することができる。
【００１５】
本考案の好ましい形態では、前記遊技媒体と前記打撃手段と前記フレーム部とが、堅木により形成されていることを特徴とする。
このように、パックが衝突する箇所に反発係数の高い堅木を用いることで、衝突時の反発力を向上させ、衝突後のパックの滑走速度を維持させることができる。
【００１６】
本考案の好ましい形態では、前記遊技台は、前記ゴール部に至った前記遊技媒体を収容する収容部をさらに有し、前記遊技台と前記収容部との間には、前記収容部を着脱可能な取付機構が設けられていることを特徴とする。
このように、収容部が取り外し可能に構成されていることにより、遊技台の下面をフラットにすることができる。その結果、様々な机の上に配置させて、ホッケーゲームを楽しむことができる。
【００１７】
本考案の好ましい形態では、前記遊技媒体には、クリア塗装が施されていることを特徴とする。
このように、遊技媒体にはクリア塗装が施されていることにより、パックと滑動盤面の摩擦力をさらに低減させることができる。
【００１８】
本考案の好ましい形態では、前記打撃手段の下面には、フェルト素材が張り付けられていることを特徴とする。
このように、打撃手段の下面にフェルト素材が設けられていることにより、この打撃手段が滑動表面を傷つけてしまうことを抑制する事ができる。
【考案の効果】
【００１９】
本考案は、コンプレッサー等の高価な付帯設備や潤滑剤を不要にすることで、コストや手間を低減したホッケーゲーム機を提供することができる。
【図面の簡単な説明】
【００２０】
【図１】本考案の一実施形態に係るホッケーゲーム機を示す外観斜視図である。
【図２】本考案の一実施形態に係るホッケーゲーム機を示す分解斜視図である。
【図３】本考案の一実施形態に係るホッケーゲーム機の取付機構を示す斜視図であり、（ａ）は本体部の裏面斜視図であり、（ｂ）は要部の拡大図である。
【図４】本考案の一実施形態に係るホッケーゲーム機の打撃手段であり、（ａ）は斜視図であり、（ｂ）は分解斜視図である。
【考案を実施するための形態】
【００２１】
以下、本考案を図面に示した好ましい一実施形態について詳細に説明する。本考案の技術的範囲は、添付図面に示した実施形態に限定されるものではなく、実用新案登録請求の範囲に記載された範囲内において、適宜変更が可能である。
【００２２】
図１は、本考案の一実施形態に係るホッケーゲーム機を示している。このホッケーゲーム機は、滑動盤面１２ａを有するホッケー台１と、滑動盤面１２ａ上を滑走するパック２と、パック２を打撃するマレット３と、ホッケー台１を載せる机４と、を備えている。
【００２３】
ホッケー台１は、図２の分解斜視図に示すように、ゴール部１１ｂを有する本体部１１と、滑動盤面１２ａを有する表面板１２と、ゴール部１１ｂに入ったパック２を収容する収容部１３と、を備えている。
【００２４】
本体部１１は、全体として方形状に形成され、滑動盤面１２ａを囲うフレーム部１１ａと、このフレーム部１１ａに設けられるゴール部１１ｂと、このゴール部１１ｂと連通して本体部１１からパック２を排出するパック排出口１１ｃと、を備えている。
【００２５】
フレーム部１１ａは、滑動盤面１２ａ上を滑走するパック２が落下しないよう、滑動盤面１２ａを囲うように設けられている。このフレーム部１１ａは、反発係数の高い材料によって形成されており、特に、堅木によって形成されていることが望ましい。
【００２６】
ゴール部１１ｂは、フレーム部１２ａの一部を開口して設けられており、少なくとも２つのゴール部１１ｂがそれぞれ対向する位置に設けられている。
【００２７】
パック排出口１１ｃは、ゴール部１１ｂの下部周辺に設けられ、収容部１３の係止部１３ａが挿入される凹所１１ｄを有している。このパック排出口１１ｃは、ゴール部１１ｂと連通してゴール部１１ｂに至ったパック２を本体部１１外に排出するよう構成されている。
【００２８】
表面板１２は、平板状に形成され、フレーム部１１ａの内周に嵌合する大きさに形成される。この表面板１２の少なくとも１面は、メラミン樹脂によってコーティングされており、そのコーティング面が滑動盤面１１ａとして使用される。
【００２９】
収容部１３は、係止部１３ａを有している。この係止部１３ａは、図３に示すように、本体部１１の凹所１１ｄに挿入することにより、収容部１３が本体部１１に取り付けられる。このように、収容部１３を本体部１１に取り付ける取付機構Ｃは、係止部１３ａと凹部１１ｄとにより構成されている。
【００３０】
パック２は、フレーム部１１ａと同様に反発係数の高い材料によって形成されており、特に、堅木によって形成されていることが望ましい。また、パック２の表面は、アクリル塗料やウレタン塗料を用いたクリア塗装が施されていることが望ましい。
【００３１】
図４は、本考案の一実施形態に係るマレット３を示す図である。このマレット３は、フレーム部１１ａ及びパック２と同様に反発係数の高い材料によって形成されており、特に、堅木によって形成されていることが望ましい。また、マレット３の底面には、フェルト材３１が設けられている。
【００３２】
本考案によれば、滑動盤面１１ａがメラミン樹脂によりコーティングされていることにより、コンプレッサー等の高価な設備を用いることなく、パック２と滑動盤面１１ａとの摩擦力を軽減させることができる。
また、潤滑剤等を滑動盤面１１ａ上に塗布する必要が無く、使用者の手間を軽減することができる。
【００３３】
また、本考案によれば、既にメラミン樹脂がコーティングされた市販のメラミン化粧板をホッケー台に取り付けることにより、より容易に本考案に係るホッケーゲーム機を作製することができる。
【００３４】
また、本考案によれば、パック２の表面には、クリア塗装が施されていることにより、さらに摩擦力を軽減させることができる。
【００３５】
また、本考案によれば、フレーム部１１ａと、パック２と、マレット３とが反発係数の高い材料である堅木によって構成されていることにより、パック２がマレット３に打撃された際には、効率よくパック２に力を伝えて滑走させることができ、パック２がフレーム部１１ａに衝突した際には、衝突後のパック２の滑走速度を維持することができる。
【００３６】
また、本考案によれば、収容部１３を着脱可能に構成することにより、本体部１１の裏面を平らにすることができる。そのため、様々な大きさの机４の上に設置することができ、家庭で使用されている机の上に本体部１１を載せるだけで、ホッケーゲームを行うことができる。
また、ホッケーゲームを行わない時には、収容部１３を取り外してホッケー台１の裏面を平らにすることにより、タンス等に収納しやすい形状とすることができる。
【００３７】
また、本考案によれば、接続機構Ｃを、係止部１３ａと凹部１１ｄにより構成していることにより、ネジやボルト等の固定材を用いることなく、取り外しを容易に行うことができる。
【００３８】
また、本考案によれば、マレット３の下面にフェルト材３１が設けられていることにより、ゲーム中に滑動盤面１２ａとマレット３とを衝突させて、滑動盤面１２ａを傷つけてしまうことを抑制する事ができる。
【００３９】
また、本考案によれば、コンプレッサー等を用いないため、安価にかつ簡単に作製することができるため、家庭用のゲーム機として購入しやすい価格帯に設定することができる。さらに、ホッケーゲームをする時には机の上に配置して、ホッケーゲームをしない時には収納することができるため、家庭での使用に適した構成となっている。
【符号の説明】
【００４０】
１      ホッケー台
１１    本体部
１１ａ  フレーム部
１１ｂ  ゴール部
１１ｃ  パック排出口
１１ｄ  凹所
１２    表面板
１２ａ  滑動盤面
１３    収容部
１３ａ  係止部
２      パック
３      マレット
３１    フェルト材
４      机
Ｃ      取付機構
【図１】
0003199262.tif 000003
【図２】
0003199262.tif 000004
【図３】
0003199262.tif 000005
【図４】
0003199262.tif 000006